(57)【要約】  本発明の眼鏡型表示装置１０は、使用者の眼前に配置される眼鏡フロント部１２と、眼鏡フロント部１２に接続され、使用者の頭部に装着される左右のテンプル部１１と、眼鏡フロント部１２を左右のテンプル部１１に対して回動することにより、眼鏡フロント部１２の傾きを調整する接続部１７と、眼鏡フロント部１２に対して固定され、使用者の眼球に画像光を投影する画像表示部２２とを備え、接続部１７は、回動の中心軸が側面視において使用者の眼球中心よりも前記眼鏡フロント部１２側に位置することを特徴とする。
2016162901.tif 000002
【特許請求の範囲】
【請求項１】
使用者の眼前に配置される眼鏡フロント部と、
前記眼鏡フロント部に接続され、使用者の頭部に装着される左右のテンプル部と、
前記眼鏡フロント部を前記左右のテンプル部に対して回動することにより、前記眼鏡フロント部の傾きを調整する角度調整部と、
前記眼鏡フロント部に対して固定され、使用者の眼球に画像光を投影する画像表示部と
を備え、前記角度調整部は、回動の中心軸が側面視において使用者の眼球中心よりも前記眼鏡フロント部側に位置することを特徴とする眼鏡型表示装置。
【請求項２】
前記眼鏡フロント部はリム部を備え、前記画像表示部は前記リム部の使用者側の面に配置されていることを特徴とする請求項１に記載の眼鏡型表示装置。
【請求項３】
前記角度調整部の前記回動の中心軸は、側面視において前記画像表示部の近傍に位置することを特徴とする請求項１または２に記載の眼鏡型表示装置。
【請求項４】
前記左右のテンプル部は、伸縮可能に構成されていることを特徴とする請求項１から３の何れか一項に記載の眼鏡型表示装置。
【請求項５】
使用者の鼻に当接する鼻当てと、該鼻当ての前記眼鏡フロント部に対する高さ位置を調整する高さ位置調整機構とを備えることを特徴とする請求項１から４の何れか一項に記載の眼鏡型表示装置。
【発明の詳細な説明】
【技術分野】
【０００１】
本発明は、頭部に装着する眼鏡型表示装置に関するものである。
【背景技術】
【０００２】
近年、眼鏡型のフレームに小型の表示装置を組み込み、使用者の視野内に画像を投影する眼鏡型表示装置の開発が進められている（例えば、特許文献１〜３参照）。例えば、特許文献１に記載の眼鏡型表示装置では、眼鏡フレームの下側リムに画像を投影するための接眼レンズが設けられ、使用者が視線を接眼レンズに向けた時のみ画像を観察できるようになっている。眼鏡型表示装置は、煩雑な装着機構を必要とせず、一般的な眼鏡をかけるのと同様に表示装置を使用者の頭部に装着することができる。【０００３】
しかし、眼鏡型表示装置では、使用者の眼球に画像を投影するために、ヘルメット型やゴーグル型などの頭部装着型表示装置とは異なり、使用者の周辺視野を妨げない小型の画像表示部が使用される。このような小型の画像表示部を用いると、使用者が画像を良好に視認可能な領域（アイボックス）は、必然的に狭くなる。このため、典型的な眼鏡型表示装置では、眼鏡の位置が僅か数ｍｍずれただけでも、画像が視認しにくくなる。一方、使用者には頭部の大きさ、鼻、耳等の位置や形状の違い等の面で個人差がある。このため、眼鏡型画像表示装置では、個人差に応じて、使用者の眼の位置が画像を視認することが可能な領域に入るように、精度よくアライメント調整（以下単に位置調整と呼ぶ）をする調整機構が必要になる。【０００４】
例えば、引用文献２に記載の眼鏡型画像表示装置では、表示部が設けられた眼鏡フレームの正面部分（眼鏡フロント部）を、側面視において眼球中心に回動軸をおいて回転調整可能に構成し、眼球に対する画像の入射角度を調整することができる。また、引用文献３に記載の眼鏡型画像表示装置では、使用者により鼻当ての位置を調整することができるように、位置調整部を設けている。
【先行技術文献】
【特許文献】
【０００５】
【特許文献１】特許第４４４０８７８号公報
【特許文献２】特開２０１３−２１４９１０
【特許文献３】特開２０１３−２１１８１１号公報
【発明の概要】
【発明が解決しようとする課題】
【０００６】
しかしながら、眼鏡フロント部を、側面視における眼球中心を回動中心として回動させる調整機構では、画像の見える位置を上下に動かすことはできるものの、アライメント調整を行うことはできない。また、眼鏡フロント部全体が眼鏡テンプル部の延びる方向に対して大きくずれて傾き、外観上の違和感が生じる。さらに、眼鏡フロント部を回動させる調整によって鼻当てと鼻の位置関係もずれるので、眼鏡フロント部の眼鏡テンプル部に対する傾きの状態によっては、鼻当てが鼻に当接しなくなる。このため、眼鏡型画像表示装置の使用者の頭部に対する装着状態が不安定になり、位置決めの精度が低下することが懸念される。また、従来技術における鼻当ての位置調整は、使用者の装着感を調整することを主な目的とし、表示画像位置と装着感の双方を同時に調整することはできない。【０００７】
したがって、これらの点に着目してなされた本発明の目的は、使用者の眼の位置に対して表示画像の調整を精度よく行うことができる眼鏡型表示装置を提供することにある。
【課題を解決するための手段】
【０００８】
上記目的を達成する眼鏡表示装置の発明は、
使用者の眼前に配置される眼鏡フロント部と、
前記眼鏡フロント部に接続され、使用者の頭部に装着される左右のテンプル部と、
前記眼鏡フロント部を前記左右のテンプル部に対して回動することにより、前記眼鏡フロント部の傾きを調整する角度調整部と、
前記眼鏡フロント部に対して固定され、使用者の眼球に画像光を投影する画像表示部と
を備え、前記角度調整部は、回動の中心軸が側面視において使用者の眼球中心よりも前記眼鏡フロント部側に位置することを特徴とするものである。【０００９】
前記眼鏡フロント部はリム部を備え、前記画像表示部は前記リム部の使用者側の面に配置されていることが好ましい。【００１０】
また、前記角度調整部の前記回動の中心軸は、側面視において前記画像表示部の近傍に位置することが好ましい。【００１１】
さらに、前記左右のテンプル部は、伸縮可能に構成することができる。【００１２】
また、前記画像表示装置は、使用者の鼻に当接する鼻当てと、該鼻当ての前記眼鏡フロント部に対する高さ位置を調整する高さ位置調整機構とを備えることができる。【００１３】
なお、眼鏡フロント部とは、眼鏡の正面部分を意味し、眼鏡の正面側のフレームおよび／またはレンズ等を含む。画像表示部の近傍とは、画像表示部の画像光射出部分からの距離が１２ｍｍ以内を意味する。
【発明の効果】
【００１４】
本発明によれば、眼鏡フロント部を左右のテンプル部に対して回動することにより、眼鏡フロント部の傾きを調整する角度調整部を備え、該角度調整部は、回動の中心軸が側面視において使用者の眼球中心よりも前記眼鏡フロント部側に位置するので、使用者の眼の位置に対して表示画像の調整、特に垂直方向の位置調整を精度よく行うことができる。
【図面の簡単な説明】
【００１５】
【図１】第１実施の形態に係る眼鏡型表示装置の斜視図である。
【図２】図１の眼鏡フロント部とテンプル部との接続部の構成を説明する図であり、（ａ）は上面図、（ｂ）は側面図である。
【図３】図１の眼鏡型表示装置を使用者に装着した状態を示す図である。
【図４】正面視の時の眼鏡フロント部と眼球との位置及び向きの関係を説明する図である。
【図５】表示画像視認時の眼鏡フロント部と眼球との位置及び向きの関係を説明する図である。
【図６】眼鏡型表示装置と眼球との位置調整が外れた状態の例を示す図である。
【図７】眼鏡型表示装置と眼球との位置調整が外れた状態の例を示す図である。
【図８】眼鏡フロント部を回動させることによる位置調整を説明する図である。
【図９】第２実施の形態に係る眼鏡型表示装置を使用者に装着した状態を示す図である。
【図１０】第３実施の形態に係る眼鏡型表示装置を使用者に装着した状態を示す図である。
【図１１】第４実施の形態に係る眼鏡型表示装置を使用者に装着した状態を示す図である。
【図１２】第５実施の形態に係る眼鏡型表示装置の鼻当ての高さ位置調整機構を説明する図である。
【図１３】第１参考例の眼鏡型表示装置の概略構成を示す前方斜視図である。
【図１４】第１参考例の眼鏡型表示装置の概略構成を示す後方斜視図である。
【図１５】第１参考例の眼鏡型表示装置のブリッジ調整部を説明する上面図である。
【図１６】第２参考例の眼鏡型表示装置のブリッジ調整部を説明する上面図である。
【図１７】第２参考例の眼鏡型表示装置のブリッジ調整部を説明する上面図である。
【図１８】第２参考例の眼鏡型表示装置のブリッジ調整部の拡大図である。
【図１９】第２参考例の眼鏡型表示装置のブリッジ調整部の変形例を示す拡大図である。
【図２０】第３参考例の眼鏡型表示装置のブリッジ調整部を説明する拡大図である。
【図２１】第４参考例の眼鏡型表示装置の概略構成を示す後方斜視図である。
【図２２】第４参考例の眼鏡型表示装置のブリッジ調整部を説明する拡大図である。
【図２３】第５参考例の眼鏡型表示装置のブリッジ調整部を説明する上面図である。
【図２４】第５参考例の眼鏡型表示装置のブリッジ調整部の拡大図である。
【図２５】（ａ）（ｂ）は第５参考例の眼鏡型表示装置の変形例のテンプル角度調整部材を説明する拡大図である。
【図２６】表示装置の配置位置の変形例を示す前方斜視図である。
【図２７】表示装置の配置位置の変形例を示す前方斜視図である。
【発明を実施するための形態】
【００１６】
以下、本発明の実施の形態について、図面を参照して説明する。
【００１７】
＜第１実施の形態＞
図１は、本発明の第１実施の形態に係る眼鏡型表示装置１０の斜視図であって、眼鏡の背面側から見た図である。眼鏡型表示装置１０は、左右のテンプル部１１と眼鏡フロント部１２とを含んで構成される眼鏡部分と、画像表示部２０とを備える。テンプル部１１は、通常の眼鏡と同様に、使用者の耳に掛けて眼鏡型表示装置１０を装着するためのものである。眼鏡フロント部１２は、使用者の眼前に配置される眼鏡の正面部分であり、左右のリム部１３、ブリッジ部１４、左右のレンズ１５および左右の鼻当て１６を含んでいる。左右のリム部１３は、それぞれ左右のレンズ１５の周りを囲むようにして、これを保持している。またブリッジ部１４は、左右のレンズ１５を囲む左右のリム部１３の中央に位置し、これらを接続している。また、鼻当て１６は、左右のリム部１３の、使用者の鼻に当接する部分に設けられている。なお、以下において、眼鏡型表示装置１０の装着時に、正面に向いた側を正面側、使用者の顔に面した側を背面側と呼ぶ。また、上、下、右、左、水平、垂直等は、使用者が眼鏡型表示装置１０を装着した状態での方向を示すものとする。
【００１８】
一方のレンズ１５（図では右側レンズ）の上側のリム部１３には、画像表示部２０が設けられる。画像表示部２０は、リム部１３と一体に形成することができる。この画像表示部２０には、図示しないＬＣＤや有機ＥＬなどの表示素子が内蔵され、固定されている。画像表示部２０は、この表示素子の画像の画像光を内部の光学系によって導光し、一方のレンズ１５の中央部上側に配置された接眼レンズ等により構成される接眼光学部２２から、使用者の眼球に向けて投影する。これによって、使用者は、表示素子に表示される画像を虚像として観察することができる。画像表示部２０は、正面からは見えないようにリム部１３の背面側に配置される。これによって、眼鏡型表示装置１０は、装着時に通常の眼鏡とほぼ区別のつかない外観を有する。
【００１９】
画像表示部２０内の表示素子に表示される画像のデータは、テンプル部１１に装着された信号処理部２１から、フレキシブル配線（図示せず）を介して供給される。もちろん、画像データの送信はこれに限られず、使用者の有する携帯電話などの携帯情報端末から、画像表示部２０に有線または無線の通信手段により送信するようにしても良い。その場合、信号処理部２１を配置する必要はない。
【００２０】
次に、眼鏡フロント部１２のリム部１３と左右のテンプル部１１との接続形態について説明する。リム部１３とテンプル部１１とは、接続部１７で接続されている。図２は、この接続部１７の構成を説明する図であり、（ａ）は上面図、（ｂ）は装着時に使用者に接する側から見た側面図となっている。リム部１３とテンプル部１１との間は、中間部材２５を介して接続されている。中間部材２５とリム部１３との間は、通常の眼鏡におけるリム部とテンプル部の接続のように、ヒンジ軸２６を有するヒンジによって接続されている。このヒンジ軸２６は上下方向に延び、眼鏡型表示装置１０のテンプル部１１を水平方向に折り畳むことを可能にする。ヒンジ軸２６は、後述する回動軸２７よりも後ろ側に設けることによって、折り畳み時にテンプル部１１と眼鏡フロント部１２とが干渉し難く、折り畳みしやすい構造となっている。
【００２１】
一方、リム部１３と中間部材２５との間の接続は、テンプル部１１に対して眼鏡フロント部１２を傾動可能に構成されている。具体的には、以下である。リム部１３の中間部材２５側端部は、使用者側に面する面に、外形が半円状の弧を有する所定の厚さの切り欠きが形成されている。これに対して、中間部材２５のリム部１３側端部は、上記リム部１３の切り欠き部分と略同じ半径の円弧を有する板状部分を有し、リム部１３の切り欠き部に、円弧部分を摺動可能に嵌めこまれている。また、中間部材２５は、上記円弧の中心をリム部１３に対してピンなどの回動軸２７（回動の中心軸）によって軸支されている。回動軸２７は、水平方向に延びているので、中間部材２５に対して、リム部１３は垂直方向に回動可能に支持される。なお、リム部１３と中間部材２５との間は、適度な摩擦力等によって相互に姿勢が保持される。このように、リム部１３と中間部材２５との接続部分は、角度調整部を構成する。
【００２２】
図３は、図１の眼鏡型表示装置１０を使用者に装着した状態を示す図である。使用者は、テンプル部１１の後ろ側を耳３２に掛け、眼鏡フロント部１２の鼻当て（図３において図示せず）を鼻３３に当接させた状態で眼鏡型表示装置１０を装着する。このとき、回動軸２７は、使用者の眼球中心Ｏよりも眼鏡フロント部１２側に位置する。特に好ましくは、回動軸２７は、側面視において接眼光学部２２の近傍に位置する。なお、接眼光学部２２の近傍とは、側面視において接眼光学部２２からの距離が１２ｍｍ以内を意味する。一般に、眼鏡のレンズと眼球３１との距離は１２ｍｍ程度であり、また、ヒトの眼球の半径も１２ｍｍ程度である。角度調整部の回動軸２７が、側面視において眼球中心Ｏと一致してしまうと、眼鏡フロント部１２を回動させても、接眼光学部から射出される画像光の光軸に沿った光線（以下、単に射出光線）が眼球中心Ｏを通ることはなく、アライメント調整はできない。一方、回動軸２７と接眼光学部２２との距離が、レンズから眼球中心Ｏまでの距離である２４ｍｍの半分の１２ｍｍより小さければ、回動による位置調整の効果が大きいと考えられる。
【００２３】
次に、眼鏡型表示装置１０を用いた表示画像の観察について説明する。図４は、正面視の時の眼鏡フロント部１２と眼球３１との位置及び向きの関係を説明する図である。また、図５は、表示画像視認時の眼鏡フロント部１２と眼球３１との位置及び向きの関係を説明する図である。使用者は、図４のように、眼鏡型表示装置１０の装着時において、通常はレンズ１５を通して眼前の風景や目標物を見る。この時の、使用者の視軸Ａを図４に示す。これに対して、使用者が眼鏡型表示装置１０の画像を見る場合は、図５に示すように、眼球３１を上方へ回転させて接眼光学部２２に視軸Ａを向ける。これにより、使用者は眼鏡型表示装置１０により投影される画像を視認することができる。このとき見上げる角度は１５〜３０°、好ましくは２５度程度がよい。
【００２４】
ここで、画像表示部２０内の表示素子から射出される画像光は、リム部１３に沿って画像表示部２０内の光学系を導光されて、小型の接眼光学部２２から射出される。このため、使用者が良好に画像を観察できるアイボックスは比較的狭い範囲に限定される。このため、眼鏡型表示装置１０は使用者の眼球３１に対して位置調整ができることが重要になる。図６および図７は、眼鏡型表示装置１０と眼球３１との位置調整が外れた状態の例を示す図である。図６では、接眼光学部２２から射出され、使用者の眼球３１の瞳孔を通過した射出光線Ｌが、眼球中心Ｏの下側を通っている。この場合は、使用者の視界には、上側が欠けた画像が投影される。また、図７では、接眼光学部２２から射出され、使用者の眼球３１の瞳孔を通過した射出光線Ｌが、眼球中心Ｏの上側を通っている。この場合は、使用者の視界には、下側が欠けた画像が投影される。
【００２５】
そこで、眼鏡フロント部１２をテンプル部１１に対して回動させることによって、眼鏡型表示装置１０の傾きを変化させる位置調整を行う。図８は、眼鏡フロント部１２を回動させることによる位置調整を説明する図である。眼鏡フロント部１２を回動させ、接眼光学部２２から射出される射出光線Ｌの方向を眼球３１の眼球中心Ｏを通る方向とすることによって、使用者が眼球３１を回転させて視軸Ａを接眼光学部２２に向け、接眼光学部２２からの表示画像を視認することが可能になる。
【００２６】
以上説明したように、本実施の形態によれば、眼鏡フロント部１２を左右のテンプル部１１に対して回動することにより、眼鏡フロント部１２の傾きを調整する角度調整部を設け、角度調整部は、傾きを調整する回動軸２７が側面視において使用者の眼球中心Ｏよりも眼鏡フロント部１２側に位置するので、使用者の眼の位置に対して表示画像を良好に視認できるように位置調整を精度よく行うことができる。また、接眼光学部２２はリム部１３の使用者側の面に配置されているので、正面から見たときにリム部１３の背面側に隠れる。このため、外観上通常の眼鏡と区別がつかず、他人から見たときの違和感がない。さらに、前記角度調整部の前記回動の中心軸は、側面視において接眼光学部２２の近傍に位置するので、眼鏡フロント部１２を僅かに動かすだけで、その傾きを大きく調整することができる。
【００２７】
＜第２実施の形態＞
なお、上記第１実施の形態では、眼鏡フロント部１２をテンプル部１１に対して回動させることのみによって、接眼光学部２２の位置調整を行った。一方、図６および図７を再び参照すると、接眼光学部２２の向きを変えずに前後または上下に移動させることによっても、表示画像の視認状態を改善することができる。例えば、図６において接眼光学部２２の向きを変えずに眼球３１側に水平に移動させることによって、射出光線Ｌが眼球中心Ｏを通るようにすることができる。あるいは、接眼光学部２２の向きを変えずに、上方へずらすことによっても、射出光線Ｌが眼球中心Ｏを通るようにすることができる。第２実施の形態では、接眼光学部２２の水平方向の移動および／または上下方向の位置調整と、回動軸２７回りの回動を組み合わせて表示画像の調整を行うものである。
【００２８】
図９は、第２実施の形態に係る眼鏡型表示装置１０Ａを使用者に装着した状態を示す図である。この眼鏡型表示装置１０Ａは、第１実施の形態に係る眼鏡型表示装置１０とテンプル部４１が異なっている。テンプル部４１は、眼鏡フロント部１２側の第１部分４１ａと、その後ろ側に位置する耳かけ部分を含む第２部分４１ｂとから構成されている。第１部分４１ａの後ろ側部分は、テンプル部４１の長手方向に沿う空洞が設けられている。すなわち、第１部分４１ａの後ろ側部分は、鞘状となっている。これに対して、第２部分４１ｂの前側部分は、外形が第１部分４１ａの空洞部分よりも僅かに小さく、第１部分４１ａの内部で摺動可能に構成されている。ただし、第２部分４１ｂは第１部分４１ａから離脱しないようになっている。これにより、テンプル部４１は全体として伸縮可能に構成されている。なお、テンプル部４１を伸縮させた後、第１部分４１ａと第２部分４１ｂとの位置関係が変化しないように、相互に固定する機構を設けても良い。その他の構成は、第１実施の形態と同様であるので、同一構成要素には同一参照符号を付して説明を省略する。
【００２９】
以上のような構成により、第２実施の形態に係る眼鏡型表示装置１０Ａは、必要に応じてテンプル部４１を伸縮させ、眼鏡フロント部１２と眼球３１との距離を調整することができる。例えば、接眼光学部２２の射出光線が眼球中心Ｏの上側を通過し、使用者が視認する画像の下側が欠けるような場合は、テンプル部４１を伸ばして眼鏡フロント部１２を遠ざけて、射出光線が眼球中心Ｏを通るように調整する。これによって、表示画像が良好に視認できるように位置調整することができる。また、テンプル部４１を伸縮することによって、良好な装着感と画像が得られる位置に眼鏡型表示装置１０Ａを調整したうえで、最終的な表示画像の視認状態の微調整を、眼鏡フロント部１２の傾きの調整により行うことが可能である。
【００３０】
＜第３実施の形態＞
図１０は、第３実施の形態に係る眼鏡型表示装置１０Ｂを使用者に装着した状態を示す図である。この眼鏡型表示装置１０Ｂもまた、第１実施の形態に係る眼鏡型表示装置１０とはテンプル部４２が異なっている。テンプル部４２は、眼鏡フロント部１２側から順に、第１部分４２ａ、第２部分４２ｂおよび第３部分４２ｃから構成されている。第１部分４２ａと第２部分４２ｂとの間は、第１回動軸４３ａが設けられ、互いにこの第１回動軸４３ａの周りに所定の範囲で回動可能に接続されている。また、第２部分４２ｂと第３部分４２ｃとの間は、第２回動軸４３ｂが設けられ、互いにこの第２回動軸４３ｂの周りに所定の範囲で回動可能に接続されている。その他の構成は、第１実施の形態と同様であるので、同一構成要素には同一参照符号を付して説明を省略する。
【００３１】
以上のような構成により、眼鏡型表示装置１０Ｂは、使用者の耳３２の高さ位置が異なるような場合でも、テンプル部４２の第３部分４２ｃの高さを調整して耳かけ部分の高さを調整することができる。これにより、誰にでも同様な装着感を提供するとともに、第１実施の形態と同様に眼鏡フロント部１２の傾きの調整を行うことができる。なお、本実施の形態では、テンプル部４２の第１部分４２ａ、第２部分４２ｂおよび第３部分４２ｃの相互の傾きを調整することによって、例えば、第１部分４２ａの後ろ側端部を押し下げるまたは押し上げることができる。これによっても、眼鏡フロント部１２の傾きの調整が可能になる。
【００３２】
＜第４実施の形態＞
図１１は、第４実施の形態に係る眼鏡型表示装置１０Ｃを使用者に装着した状態を示す図である。この眼鏡型表示装置１０Ｃのテンプル部４４は、第１部分４４ａ及び第２部分４４ｂを備え、第１部分４４ａと第２部分４４ｂとの間は、回動軸４５により所定範囲内で回動可能に接続されている。その他の構成は、第１実施の形態と同様であるので、同一構成要素には同一参照符号を付して説明を省略する。第４実施の形態に係る眼鏡型表示装置１０Ｃは、第３実施の形態に係る眼鏡型表示装置１０Ｂと比べて、より単純な構成でありながら、使用者の耳３２の高さ位置に対する調整を可能にしたものである。
【００３３】
＜第５実施の形態＞
第５実施の形態に係る眼鏡型表示装置は、上記第２実施の形態に係る眼鏡型表示装置１０Ａの構成に加え、鼻当て１６の高さ位置の調整機構を設けたものである。図１２は、第５実施の形態に係る眼鏡型表示装置の鼻当て１６の高さ位置調整機構を説明する図である。この図は、鼻当て１６を鼻に当接する部分の反対側から見た斜視図である。鼻当て１６は、スライドパーツ４６と鼻パッド４７により構成される。スライドパーツ４６は、パッドアーム４８を介して、リム部１３の鼻側に面した部分に接続される。鼻パッド４７には、スライド溝４９が設けられる。スライド溝４９は、該スライド溝４９の長手方向に延びる両側面４９ａ，４９ｂに沿って波状の凹凸が多数形成され、両側面間の間隔が長手方向に周期的に変化する構造となっている。スライドパーツ４６には、このスライド溝４９内で、スライド溝４９の側面４９ａ，４９ｂの凹部に対して付勢されて当接する板バネ（弾性部材）が固定されている。スライドパーツ４６は、板バネがスライド溝４９から離脱しないように、スライド溝４９に沿って摺動するように構成される。使用者が、この鼻パッド４７に手をかけて、上下に力を加えることにより、板バネが弾性力に抗して側面４９ａ，４９ｂの凹部を脱出して隣接する凹部へ異動する。このようにして、使用者は鼻当て１６を上下に移動させ、高さ位置を調整することができる。なお、図１２は、左側の鼻当て１６の高さ位置調整機構を示しているが、右側の鼻当て１６も同様の高さ位置調整機構を有する。
【００３４】
第２実施の形態の眼鏡型表示装置においては、テンプル部４１を伸縮させると、使用者の鼻３３と眼鏡フロント部１２の鼻当て１６の当接位置がずれてしまう。例えば、テンプル部４１を伸長させた場合は、眼鏡フロント部１２が前方へつき出るため、鼻当て１６は鼻３３に当接するためには下に下がることになる。そこで、本実施の形態では、高さ位置調整機構を用いて、鼻当て１６を眼鏡フロント部１２に対して上下方向に位置調整する。高さ位置調整機構を設けたことによって、使用者の眼鏡型表示装置の装着感を好適な状態に調整しながら、良好な画像が得られるように眼鏡フロント部１２の傾きおよび位置を調整することができる。
【００３５】
本実施の形態に係る眼鏡型表示装置を用いた場合の調整方法としては、まず、テンプル部４１の長さを決定し、テンプル部４１の長さに応じて鼻当て１６の高さ位置調整を調整する。これによって、良好な画像が観察できるようにする。このとき、鼻当て１６の鼻への当たりや、レンズ１５と眼球３１との距離は、眼鏡型表示装置の装着感に影響を与える。このため、これらの調整においては、画像の表示状況以上に装着感の良さを重視した位置調整を行う。テンプル部４１の長さと鼻当て１６の高さが決定したら、次に、眼鏡フロント部１２を回動軸２７回りに回動させる調整を行い、最も良好な画像が視認できる位置に固定する。これによって、眼鏡型表示装置を最も良好な状態に調整することが可能になる。また、本実施の形態の高さ位置調整機構は、鼻パッド４７に設けた溝に対してスライドパーツ４６をスライドさせるものなので、小型で且つ正面から見たときにリム部１３に隠れて外観上目立たないという利点も有している。
【００３６】
なお、本発明は、上記実施の形態にのみ限定されるものではなく、幾多の変形または変更が可能である。たとえば、レンズは、度が入っていても入っていなくても良く、また、使用者が必要としない場合は、レンズは無くても良く、その場合の眼鏡フロント部は、主にフレームにより構成される。また、中間部材を直接レンズに接続すれば、リム部は無くても良い。その場合レンズ上に沿って直接画像表示部が設けられる。画像表示部は、右側および左側の何れの眼側に設けても良く、あるいは、両方の眼に対応して合計２つの画像表示部を設けても良い。また、画像表示部はレンズの上側のリムに重ねる構成に限られず、正面から見た時下側のリムに重なるように配置しても良い。あるいは、リムやレンズに近接する任意の位置に配置することもできる。さらに、眼鏡フロント部をテンプル部に対して回動させる機構は、例示のもの以外に種々の方法が可能である。
【００３７】
次に、本発明の参考例について説明する。これらの参考例は、眼鏡型表示装置において、左右の眼鏡レンズ部の相対的な位置を調整するブリッジ調整部により、使用者の個人差に応じたアイポイントの調整を行うものである。
【００３８】
＜第１参考例＞
図１３は、第１参考例にかかる眼鏡型表示装置１００の概略構成を示す前方斜視図である。図１４は、第１参考例にかかる眼鏡型表示装置１００の概略構成を示す後方斜視図である。本参考例にかかる眼鏡型表示装置１００は、使用者の左右の眼の前に配置される眼鏡レンズ部１０１Ａ、１０１Ｂと、眼鏡レンズ部に接続され、使用者の頭部に装着されるテンプル部１０４Ａ、１０４Ｂと、眼鏡レンズ部１０１Ａ及び１０１Ｂの間に介在するブリッジ部１０５と、テンプル部１０４Ａ、１０４Ｂを眼鏡レンズ部１０１Ａ、１０１Ｂに対して折りたたみ可能に連結するヒンジ部１０６Ａ、１０６Ｂと、使用者に画像を表示する表示装置（画像表示部）１１０とを備える。
【００３９】
眼鏡レンズ部１０１Ａは、使用者の右眼前方に配置され、眼鏡レンズ１０２Ａと、眼鏡レンズ１０２Ａを保持するリム部１０３Ａとからなる。同様に、眼鏡レンズ部１０１Ｂは、使用者の左眼前方に配置され、眼鏡レンズ１０２Ｂと、眼鏡レンズ１０２Ｂを保持するリム部１０３Ｂとからなる。
なお、眼鏡レンズ部１０１Ａ、１０１Ｂは、眼鏡レンズとリム部を両方備える構成に限らず、眼鏡レンズとリム部のどちらか一方のみでもあってもよい。例えば、眼鏡レンズを保持するリム部を有さない（リムレス）の眼鏡型表示装置であってもよい。また、眼鏡レンズを有さず、眼鏡レンズ部がリム部のみからなる眼鏡型表示装置であってもよい。
【００４０】
表示装置（画像表示部）１１０は、表示素子を有する本体部１１１と表示素子からの画像光を使用者の眼球Ｅ１に投影する接眼光学部１１２とを備える。本体部１１１は、リム部１０３Ａの使用者側の側面に配置される。接眼光学部１１２は、リム部１０３Ａの使用者側の側面にリム部１０３Ａに沿うように配置される。このように眼鏡型表示装置１００は、表示装置１１０がリム部１０３Ａの使用者側の側面に配置されているため、外観を損なうことのないウェアラブル機器となる。なお、表示素子に電源を供給するバッテリ等は、リム部１０３Ａやテンプル部１０４Ａに内蔵する構成でもよいし、有線にて外部機器から供給される構成であってもよい。
【００４１】
図１５は、第１参考例の眼鏡型表示装置１００のブリッジ調整部１０７を説明する上面図である。図１５では、眼幅Ｌ１の使用者が眼鏡型表示装置１００を装着した場合と、眼幅Ｌ１より長い眼幅Ｌ２の使用者が眼鏡型表示装置１００を装着した場合を示す。ブリッジ部１０５は、スライド軸１０７Ａと、スライド軸１０７Ａを固定するスライド軸固定部１０７Ｂ、１０７Ｃとからなるブリッジ調整部１０７を備える。スライド軸固定部１０７Ｂ、１０７Ｃは、リム部１０３Ａ、１０３Ｂにそれぞれ固定されている。さらにスライド軸固定部１０７Ｂ、１０７Ｃは、それぞれ孔を有する。スライド軸１０７Ａは、その両端がスライド軸固定部１０７Ｂ、１０７Ｃの孔に挿入され、固定される。
【００４２】
ブリッジ調整部１０７は、スライド軸１０７Ａに沿ってスライド軸固定部１０７Ｂ、１０７Ｃを動かすことで、眼幅Ｌ１の使用者、眼幅Ｌ２の使用者のそれぞれに対応したアイポイントの調整を行なうことができる。眼幅Ｌ２の使用者が眼鏡型表示装置１００を装着した場合、眼幅Ｌ１の使用者が眼鏡型表示装置１００を装着した場合に比べて、スライド軸固定部１０７Ｂと１０７Ｃとの距離が長くなるようにスライド軸固定部１０７Ｂ、１０７Ｃをスライド軸１０７Ａに沿って移動させる。スライド軸固定部１０７Ｂ、１０７Ｃはリム部１０３Ａ、１０３Ｂに固定されているため、スライド軸固定部１０７Ｂ、１０７Ｃを両者の距離が長くなるように移動させることで、リム部１０３Ａと１０３Ｂとの距離も長くなる。言い換えると、左右のリム部１０３Ａ、１０３Ｂの相対的位置が調整される。画像光を使用者の眼球に投影する接眼光学部１１２はリム部１０３Ａの使用者側の側面に配置されていることから、リム部１０３Ａ、１０３Ｂ間の距離が長くなると、接眼光学部１１２もリム部１０３Ａに伴って移動する。このようにして本参考例の眼鏡型表示装置１００は、ブリッジ調整部１０７によってアイポイントを眼幅Ｌ１に応じた位置から眼幅Ｌ２に応じた位置に調整することができる。また本参考例の眼鏡型表示装置１００は、簡易な構成でアイポイントの調整が可能であり、外観上も一般的な眼鏡と変わらず、外観を損なうことがない。
【００４３】
＜第２参考例＞
次に第２参考例の眼鏡型表示装置２００について説明する。図１６は、第２参考例にかかる眼鏡型表示装置２００のブリッジ調整部２０７を説明する上面図である。図１６では、眼幅Ｌ１の使用者が眼鏡型表示装置２００を装着した場合と、眼幅Ｌ１より長い眼幅Ｌ２の使用者が眼鏡型表示装置２００を装着した場合を示す。第１参考例の眼鏡型表示装置１００とは、ブリッジ調整部２０７の構造が異なっている。それ以外の構成は、第１参考例と同様である。本参考例にかかるブリッジ調整部２０７は、針金、ゴム等の弾性部材（可塑性部材）である介在部２０７Ａと、介在部２０７Ａの両端が固定される固定部２０７Ｂ、２０７Ｃとからなる。また固定部２０７Ｂ、２０７Ｃは、リム部１０３Ａ、１０３Ｂにそれぞれ固定されている。
【００４４】
ブリッジ調整部２０７は、介在部２０７Ａの形状を変形させることで、眼幅Ｌ１の使用者、眼幅Ｌ２の使用者のそれぞれに対応したアイポイントの調整を行なうことができる。眼幅Ｌ２の使用者が眼鏡型表示装置２００を装着した場合、眼幅Ｌ１の使用者が眼鏡型表示装置２００を装着した場合に比べて、固定部２０７Ｂと２０７Ｃとの距離が長くなるように介在部２０７Ａの形状を変形させる。固定部２０７Ｂ、２０７Ｃはリム部１０３Ａ、１０３Ｂに固定されているため、固定部２０７Ｂ、２０７Ｃの距離が長くなるように介在部２０７Ａの形状を変形させることで、リム部１０３Ａと１０３Ｂとの距離も長くなる。言い換えると、左右の眼鏡レンズ部１０１Ａ、１０２Ｂの相対的位置が調整される。画像光を使用者の眼球Ｅ１に投影する接眼光学部１１２はリム部１０３Ａの使用者側の側面に配置されていることから、リム部１０３Ａ、１０３Ｂ間の距離が長くなると、接眼光学部１１２もリム部１０３Ａに伴って移動する。このようにして本参考例の眼鏡型表示装置２００は、ブリッジ調整部２０７によってアイポイントを眼幅Ｌ１に応じた位置から眼幅Ｌ２に応じた位置に調整することができる。
【００４５】
図１７は、第２参考例にかかる眼鏡型表示装置２００のブリッジ調整部２０７を説明する上面図である。図１７では、眼幅Ｌ１の使用者が眼鏡型表示装置２００を装着した場合と、眼幅Ｌ１より長い眼幅Ｌ２の使用者が眼鏡型表示装置２００を装着した場合を示す。図１８は、第２参考例の眼鏡型表示装置２００のブリッジ調整部２０７の拡大図である。構成は、図１６で示した眼鏡型表示装置２００と同じである。
本参考例のブリッジ調整部２０７は、介在部２０７Ａの形状を変形させることで、接眼光学系１１２の位置とともに使用者の眼球Ｅ１に対する接眼光学系１１２から射出する画像光の射出角度を変更することもできる。これにより、眼幅Ｌ１の使用者、眼幅Ｌ２の使用者のそれぞれに対応したアイポイントの調整を行なうことができる。眼幅Ｌ１の使用者が眼鏡型表示装置２００を装着した場合、眼幅Ｌ２の使用者が眼鏡型表示装置２００を装着した場合に比べて、眼鏡レンズ部１０１Ａと眼鏡レンズ部１０１Ｂとの成す角度αが小さくなるように介在部２０７Ａの形状を変形させる。画像光を使用者の眼球Ｅ１に投影する接眼光学部１１２はリム部１０３Ａの使用者側の側面に配置されていることから、角度αが小さくなると、使用者の眼球Ｅ１に対する接眼光学系の配置位置（接眼窓の向き）が角度αにともなって移動する。これにより、接眼光学部１１２の接眼窓は眼球正面方向よりやや外側に位置するが、画像光を使用者の眼球Ｅ１に向けて射出させることが可能となる。このようにして本参考例の眼鏡型表示装置２００は、ブリッジ調整部２０７によって、眼鏡レンズ部１０１Ａと眼鏡レンズ部１０１Ｂとの成す角度αを調整でき、その結果、アイポイントを眼幅Ｌ１に応じた位置から眼幅Ｌ２に応じた位置に調整することができる。
【００４６】
次に第２参考例の変形例を説明する。図１９は、第２参考例の眼鏡型表示装置２００のブリッジ調整部２０７の変形例を示す拡大図である。第２参考例の眼鏡型表示装置２００とは、固定部２０７Ｂ、２０７Ｃとの間に固定される離間部材２０８を備えている点が異なっている。
【００４７】
ブリッジ調整部２０７の固定部２０７Ｂは、固定部２０７Ｃ側の側面に凸部を備える。同様に、ブリッジ調整部２０７の固定部２０７Ｃは、固定部２０７Ｂ側の側面に凸部を備える。離間部材２０８は、固定部２０７Ｂと２０７Ｃの間に配置ざれ、固定部２０７Ｂ、２０７Ｃの凸部に係合する凹部を備える。固定部２０７Ｂ、２０７Ｃ間に離間部材２０８を挿入することで、介在部２０７Ａに外力が加わっても、左右のリム部１０３Ａ、１０３Ｂの距離を一定に保つことができる。言い換えると、使用者に応じて調整したアイポイントを一定に保つことができる。
【００４８】
＜第３参考例＞
次に第３参考例の眼鏡型表示装置３００について説明する。図２０は、第３参考例にかかる眼鏡型表示装置３００のブリッジ調整部３０７を説明する拡大図である。第１参考例の眼鏡型表示装置１００とは、ブリッジ調整部３０７の構造が異なっている。それ以外の構成は、第１参考例と同様である。本参考例にかかるブリッジ調整部３０７は、リム部１０３Ｂに設けられたねじ部３０７Ａと、リム部１０３Ａに設けられたねじ受け部３０７Ｂ及び位置決め用突起部３０７Ｃと、離間部材３０８とから構成される。
【００４９】
ブリッジ調整部３０７は、離間部材３０８の有無、大きさを選択することで、眼幅の異なる使用者それぞれに対応したアイポイントの調整を行なうことができる。使用者の眼幅が小さいときは、ねじ部３０７Ａをねじ受け部３０７Ｂに直接固定することで、リム部１０３Ａ、１０３Ｂ間の距離が短い眼鏡型表示装置３００となる。このとき、接眼光学部１１２はリム部１０３Ａに伴って移動するため、眼幅の狭い使用者に合わせたアイポイントに調整することができる。一方、使用者の眼幅が大きいときは、離間部材３０８の位置決め用開口部３０８Ｂと位置決め用突起部３０７Ｃとを合わせ、離間部材３０８をリム部１０３Ａに仮留めする。仮留めした離間部材３０８を介して、ねじ部３０７Ａとねじ受け部３０７Ｂとを固定することで、リム部１０３Ａ、１０３Ｂ間の距離が長い眼鏡型表示装置３００となる。このとき、接眼光学部１１２はリム部１０３Ａに伴って移動するため、眼幅の広い使用者に合わせたアイポイントに調整することができる。このようにしてブリッジ調整部３０７は、離間部材３０８の有無、大きさを選択することで、リム部１０３Ａ、１０３Ｂ間の距離を調整することができる。言い換えると、リム部１０３Ａ、１０３Ｂの相対的な位置を調整することができる。また離間部材３０８は、スモールサイズ、ミディアムサイズ、ラージサイズと複数用意してもよい。複数のサイズの離間部材３０８を用意することで、眼鏡型表示装置３００は段階的にアイポイントを調整することが可能となる。また使用者に合わせてカスタマイズされたサイズの離間部材３０８を用意してもよい。このようにすることで、使用者は、同様の機構を有する眼鏡型表示装置に対し離間部材３０８をはめ込むだけで、自分の眼幅、頭部サイズに応じたアイポイントを調整することができる。なお、ブリッジ調整部３０７及び離間部材３０８の構成は、本参考例の構成に限らず、凹部と凸部による係合機構や磁石等の周知技術を用いてもよい。
【００５０】
＜第４参考例＞
次に第４参考例の眼鏡型表示装置４００について説明する。図２１は、第４参考例の眼鏡型表示装置の概略構成を示す後方斜視図である。図２２は、第４参考例の眼鏡型表示装置４００のブリッジ調整部４０７を説明する拡大図（上面図）である。第１参考例の眼鏡型表示装置１００とは、ブリッジ調整部４０７の構造が異なっている。それ以外の構成は、第１参考例と同様である。本参考例にかかるブリッジ調整部４０７は、４つの支持部４０７Ａ、４０７Ｂ、４０７Ｃ、４０７Ｄと、支持部の回動軸となる４つの固定部４０７Ｅ、４０７Ｆ、４０７Ｇ、４０７Ｈとから構成される。支持部４０７Ａは、一端が固定部４０７Ｅによって支持部４０７Ｂの一端部とともに眼鏡レンズ部１０１Ａに回動可能に固定され、他端が固定部４０７Ｆによって支持部４０７Ｃの一端に回動可能に固定される。支持部４０７Ｃの他端は、固定部４０７Ｈによって支持部４０７Ｄの一端部とともに眼鏡レンズ部１０１Ｂに回動可能に固定される。支持部４０７Ｄの他端は、固定部４０７Ｇによって支持部４０７Ｂの他端に回動可能に固定される。
【００５１】
ブリッジ調整部４０７は、固定部４０７Ｅが支持部４０７Ａ、４０７Ｂを眼鏡レンズ部１０１Ａに、固定部４０７Ｈが眼鏡レンズ部１０１Ｂに固定されているため、４つの固定部４０７Ｅ、４０７Ｆ、４０７Ｇ、４０７Ｈを回動軸に４つの支持部４０７Ａ、４０７Ｂ、４０７Ｃ、４０７Ｄを動かすことで、眼鏡レンズ部１０１Ａと眼鏡レンズ部１０１Ｂとの相対位置を調整することができる。言い換えると、眼鏡レンズ部１０１Ａと眼鏡レンズ部１０１Ｂとの距離を調整することができる。これにより、使用者の個人差に対応したアイポイントの調整を行なうことができる。
【００５２】
＜第５参考例＞
次に第５参考例の眼鏡型表示装置５００について説明する。図２３は、第５参考例にかかる眼鏡型表示装置５００のブリッジ調整部５０７を説明する上面図である。図２４は、第５参考例の眼鏡型表示装置５００のブリッジ調整部５０７の拡大図である。第１参考例の眼鏡型表示装置１００とは、ブリッジ調整部５０７の構造が異なっている。それ以外の構成は、第１参考例と同様である。本参考例にかかるブリッジ調整部５０７は、リム部１０３Ａから延在するリム延在部５０７Ａと、リム部１０３Ｂから延在するリム延在部５０７Ｂと、リム延在部５０７Ａの一端とリム延在部５０７Ｂの一端とを回動可能に固定する固定部５０７Ｃとから構成される。
【００５３】
ブリッジ調整部５０７は、固定部５０７Ｃを回転軸に眼鏡レンズ部１０１Ａ及び眼鏡レンズ部１０１Ｂを回動させることにより、眼鏡レンズ部１０１Ａと眼鏡レンズ部１０１Ｂとのなす角度αを調整することができる。眼幅Ｌ１の使用者が眼鏡型表示装置５００を装着した場合、眼幅Ｌ２の使用者が眼鏡型表示装置５００を装着した場合に比べて、眼鏡レンズ部１０１Ａと眼鏡レンズ部１０１Ｂとの成す角度αが小さくなるように、眼鏡レンズ部１０１Ａと眼鏡レンズ部１０１Ｂを回動させる。画像光を使用者の眼球Ｅ１に投影する接眼光学部１１２はリム部１０３Ａの使用者側の側面に配置されていることから、角度αが小さくなると、使用者の眼球Ｅ１に対する接眼光学系の配置位置（接眼窓の向き）が角度αにともなって移動する。これにより、接眼光学部１１２の接眼窓は眼球正面方向よりやや外側に位置するが、画像光を使用者の眼球Ｅ１に向けて射出させることが可能となる。このようにして本参考例の眼鏡型表示装置５００は、ブリッジ調整部５０７によって、眼鏡レンズ部１０１Ａと眼鏡レンズ部１０１Ｂとの成す角度αを調整でき、その結果、アイポイントを眼幅Ｌ１に応じた位置から眼幅Ｌ２に応じた位置に調整することができる。
【００５４】
次に第５参考例の変形例を説明する。図２５（ａ）、（ｂ）は、第５参考例の眼鏡型表示装置５００の変形例を説明する拡大図である。第５参考例の眼鏡型表示装置５００とは、眼鏡レンズ部１０１とテンプル部１０４との間に配置されるテンプル角度調整部材５０８を備えている点が異なっている。図２５（ａ）は眼鏡型表示装置５００がテンプル角調整部材５０８を備えていない場合のヒンジ部１０６Ａの拡大図であり、図２５（ｂ）は眼鏡型表示装置５００がテンプル角調整部材５０８を備えている場合のヒンジ部１０６Ａの拡大図である。図２３に示す第５参考例の眼鏡型表示装置５００は、ブリッジ調整部５０７により左右の眼鏡レンズ部１０１Ａ、１０１Ｂのなす角度を調整することができる。このとき、左右の眼鏡レンズ部１０１Ａ、１０１Ｂのなす角度を小さくすると、使用者の頭部に固定される左右のテンプル部１０４Ａ、１０４Ｂ間の距離が狭くなる。一方で、左右の眼鏡レンズ部１０１Ａ、１０１Ｂのなす角度を大きくすると、使用者の頭部に固定される左右のテンプル部１０４Ａ、１０４Ｂ間の距離も大きくなる。
【００５５】
テンプル角調整部材５０８は、眼鏡レンズ部１０１とテンプル部１０４との間で挟み込まれるように取り付けられる。左右それぞれの眼鏡レンズ部とテンプル部との間に取り付けることで、テンプル部１０４Ａ、１０４Ｂ間の距離が小さくなる。これにより、使用者は左右のテンプル部１０４Ａ、１０４Ｂ間の距離を大きくすることなく、ブリッジ調整部１０７により左右の眼鏡レンズ部１０１Ａ、１０１Ｂのなす角度が大きくなるよう調整することができる。つまり、ブリッジ調整部１０７にて眼幅に対する調整をすることができ、さらにテンプル角調整部材５０８Ａで頭部サイズに対する調整をすることが可能となる。言い換えると、テンプル角調整部材５０８Ａにより、眼鏡レンズ部１０１Ａとテンプル部１０４Ａとのなす角度を調整することができる。なお、本参考例では、テンプル角調整部材５０８を別部材とする構成であるが、その他の構成であってもよい。例えば、テンプル部１０４Ａの眼鏡レンズ部１０１Ａに当接する側面に孔を形成し、その孔にスライド可能に固定される延在部材（テンプル角調整部材）を設けてもよい。延在部材を孔内に収納させた状態と、延在部材を孔外に配置させた状態とで、眼鏡レンズ部１０１Ａとテンプル部１０４Ａとのなす角度を調整することができる。またヒンジ部１０６Ａの回動する角度を規制する部材であってもよい。
【００５６】
以上、参考例では、幾多の変形または変更が可能である。例えば、眼鏡レンズを保持するリム部を有さない（リムレス）の眼鏡型表示装置であってもよい。この場合、ブリッジ調整部は眼鏡レンズ間の相対的位置を調整することは言うまでもない。また、眼鏡レンズを有さず眼鏡レンズ部がリム部のみからなる眼鏡型表示装置であってもよい。この場合、ブリッジ調整部はリム部間の相対的位置を調整することは言うまでもない。また図２６に示すように、表示装置（画像表示部）を眼鏡レンズ前方に配置してもよい。また図２７に示すように、接眼光学部の長手方向が略水平方向ではなく、鉛直方向となるように表示装置（画像表示部）を配置してもよい。図２６及び図２７に示すよう配置しても本発明の効果は変わりない。更に、上記参考例を組み合わせることも可能である。
【符号の説明】
【００５７】
１０    眼鏡型表示装置
１１    テンプル部
１２    眼鏡フロント部
１３    リム部
１４    ブリッジ部
１５    レンズ
１６    鼻当て
１７    接続部
２０    画像表示部
２１    信号処理部
２２    接眼光学部
２５    中間部材
２６    ヒンジ軸
２７    回動軸
３１    眼球
３２    耳
３３    鼻
４１    テンプル部
４２    テンプル部
４３ａ    第１回動軸
４３ｂ    第２回動軸
４４    テンプル部
４５    回動軸
４６    スライドパーツ
４７    鼻パッド
４８    パッドアーム
４９    スライド溝
５０    バネ
１００、２００、３００、４００、５００、６００、７００    眼鏡型表示装置
１０１Ａ、１０１Ｂ    眼鏡レンズ部
１０２Ａ、１０２Ｂ    眼鏡レンズ
１０３Ａ、１０３Ｂ    リム部
１０４Ａ、１０４Ｂ    テンプル部
１０５    ブリッジ部
１０６Ａ、１０６Ｂ    ヒンジ部
１０７、２０７、３０７、４０７、５０７    ブリッジ調整部
１０７Ａ    スライド軸
１０７Ｂ、１０７Ｃ    スライド軸固定部
１１０    表示装置（画像表示部）
１１１    本体部
１１２    接眼光学部
２０７Ａ    介在部
２０７Ｂ、２０７Ｃ    固定部
２０８    離間部材
３０７Ａ    ねじ部
２０７Ｂ    ねじ受け部
３０７Ｃ    位置決め用突起部
３０８    離間部材
３０８Ａ    離間部材ねじ受け部
３０８Ｂ    位置決め用開口部
４０７Ａ、４０７Ｂ、４０７Ｃ、４０７Ｄ    支持部
４０７Ｅ、４０７Ｆ、４０７Ｇ、４０７Ｈ    固定部
５０７Ａ、５０７Ｂ    リム延在部
５０７Ｃ    固定部
５０８Ａ    テンプル角調整部材
Ｏ，Ｏ’    眼球中心
Ａ    視軸
Ｌ    射出光線
Ｅ１、Ｅ２    使用者の眼球
Ｌ１、Ｌ２    眼幅
α    眼鏡レンズ部１０１Ａと眼鏡レンズ部１０１Ｂとのなす角度
【図１】
2016162901.tif 000003
【図２】
2016162901.tif 000004
【図３】
2016162901.tif 000005
【図４】
2016162901.tif 000006
【図５】
2016162901.tif 000007
【図６】
2016162901.tif 000008
【図７】
2016162901.tif 000009
【図８】
2016162901.tif 000010
【図９】
2016162901.tif 000011
【図１０】
2016162901.tif 000012
【図１１】
2016162901.tif 000013
【図１２】
2016162901.tif 000014
【図１３】
2016162901.tif 000015
【図１４】
2016162901.tif 000016
【図１５】
2016162901.tif 000017
【図１６】
2016162901.tif 000018
【図１７】
2016162901.tif 000019
【図１８】
2016162901.tif 000020
【図１９】
2016162901.tif 000021
【図２０】
2016162901.tif 000022
【図２１】
2016162901.tif 000023
【図２２】
2016162901.tif 000024
【図２３】
2016162901.tif 000025
【図２４】
2016162901.tif 000026
【図２５】
2016162901.tif 000027
【図２６】
2016162901.tif 000028
【図２７】
2016162901.tif 000029
【手続補正書】
【提出日】平成27年9月17日(2015.9.17)
【手続補正１】
【補正対象書類名】特許請求の範囲
【補正対象項目名】全文
【補正方法】変更
【補正の内容】
【特許請求の範囲】
【請求項１】
使用者の眼前に配置される眼鏡フロント部と、
前記眼鏡フロント部に接続され、使用者の頭部に装着される左右のテンプル部と、
前記眼鏡フロント部を前記左右のテンプル部に対して回動することにより、前記眼鏡フロント部の傾きを調整する角度調整部と、
前記眼鏡フロント部に対して固定され、使用者の眼球に画像光を投影する接眼光学部を有する画像表示部と
を備え、前記角度調整部は、回動の中心軸が側面視において使用者の眼球中心よりも前記眼鏡フロント部側に位置し、前記眼鏡フロント部はリム部を備え、前記接眼光学部は前記リム部の使用者側の面に前記リム部に沿って配置されていることを特徴とする眼鏡型表示装置。
【請求項２】
（削除）
【請求項３】
前記角度調整部の前記回動の中心軸は、側面視において前記画像表示部の近傍に位置することを特徴とする請求項１に記載の眼鏡型表示装置。
【請求項４】
前記左右のテンプル部は、伸縮可能に構成されていることを特徴とする請求項１または３に記載の眼鏡型表示装置。
【請求項５】
使用者の鼻に当接する鼻当てと、該鼻当ての前記眼鏡フロント部に対する高さ位置を調整する高さ位置調整機構とを備えることを特徴とする請求項１、３および４の何れか一項に記載の眼鏡型表示装置。
【国際調査報告】
2016162901.tif 000030
2016162901.tif 000031
2016162901.tif 000032
2016162901.tif 000033